(57)【要約】【課題】伝送制御装置及び警報波及阻止制御方法に関し、装置内の故障発生の影響の波及による連鎖的な障害状態を回避する。【解決手段】監視制御カード１３と複数のインタフェースカード１２−１〜１２−ＮとＢＷＢ１１とを含む伝送制御装置（スイッチ装置）に於ける各インタフェースカードは、ユーザネットワーク側の個別部とＢＷＢ側の個別部との間の選択転送処理を行う共通部と、警報制御部と、制御信号処理部とを含み、警報制御部は、故障の影響が波及する波及先インタフェースカードを示す故障部位毎波及先カード一覧テーブルと、警報マスク対象の場合の警報マスク指示送信元とを示す故障部位毎警報マスク対象一覧テーブルとを備え、故障発生による警報通知信号を基に故障発生による影響波及先インタフェースカードの警報制御部に、制御信号処理部を介して警報マスク指示の警報制御フレームを送出する。【選択図】図１
2011091728.tif 000002
【特許請求の範囲】
【請求項１】
監視制御カードと複数のインタフェースカードとを実装してバックワイヤードボードにより相互間を接続した伝送制御装置に於いて、
前記インタフェースカードは、複数のユーザネットワーク側の個別部と前記バックワイヤードボード側の複数の個別部との間のデータフレームの選択転送処理を行う共通部と、
インタフェースカード内の各部位単位で故障発生の有無を監視する警報制御部と、インタフェースカード間で前記バックワイヤードボードを介して警報制御フレームの送受信処理を行う制御信号処理部とを含む構成を有し、
前記警報制御部は、前記個別部と共通部とに於ける故障発生により影響が波及する波及先インタフェースカードを示す故障部位毎波及先カード一覧テーブルと、故障発生による警報マスクの対象か否かと警報マスク対象の場合の警報マスク指示送信元とを示す故障部位毎警報マスク対象一覧テーブルとを備え、インタフェースカード内の故障発生による警報通知信号を基に故障発生による影響波及先インタフェースカードの警報制御部に前記制御信号処理部を介して警報マスク指示の警報制御フレームを送出する制御手段を備えた
ことを特徴とする伝送制御装置。
【請求項２】
前記警報制御部は、前記故障部位毎波及先カード一覧テーブルと、前記故障部位毎警報マスク対象一覧テーブルと、前記個別部と共通部とのそれぞれに対するリセット指示及びリセット完了の有無を設定するリセット指示管理テーブルとを備え、前記監視制御カードを介した警報制御フレームによるリセット指示により前記リセット指示管理テーブルのリセット対象部位対応にリセット指示有りを設定し、前記リセット対象部位からのリセット完了通知によりリセット指示無しに更新設定する制御手段と、前記リセット指示部位による影響波及先を、前記故障部位毎波及先カード一覧テーブルを参照して判定し、影響波及先に対する警報マスク指示の警報制御フレームを送出する制御手段とを含むことを特徴とする請求項１記載の伝送制御装置。
【請求項３】
前記警報制御部は、前記個別部の故障発生を検出し、前記故障部位警報波及先カード一覧テーブルを参照して警報波及先のインタフェースカードに対する警報マスク指示の警報制御フレームを前記制御信号処理部から送出する制御手段と、前記故障発生の個別部に対するリセット指示を行い、該リセット指示に従ったリセット処理完了通知により、前記警報マスク指示を送出した前記インタフェースカードに対する警報マスク解除指示の警報制御フレームを前記制御信号処理部から送出する制御手段を備えたことを特徴とする請求項１記載の伝送制御装置。
【請求項４】
監視制御カードと複数のインタフェースカードとを実装してバックワイヤードボードにより相互間を接続し、前記インタフェースカード内の故障発生による影響波及を阻止する警報波及阻止制御方法に於いて、
前記インタフェースカードは、複数のユーザネットワーク側の個別部と前記バックワイヤードボード側の複数の個別部との間のデータフレームの選択転送処理を行う共通部と、故障部位毎警報波及先カード一覧テーブルと故障部位毎警報マスク対象一覧テーブルとを有する警報制御部と、警報制御フレームの送受信を行う制御信号処理部とを含む構成を有し、
前記警報制御部は、インタフェースカード内の故障発生による警報通知信号を基に前記故障部位毎警報波及先カード一覧テーブルを検索し、故障発生による影響波及先インタフェースカードに、前記制御信号処理部から警報マスク指示の警報制御フレームを送出する制御過程と、
前記故障発生部位の回復を前記警報制御部が検出した時、前記警報マスク指示の警報制御フレームを送出したインタフェースカードに対して、正常状態通知の警報制御フレームを送出する制御過程と
を含むことを特徴とする警報波及阻止制御方法。
【請求項５】
前記インタフェースカードの前記警報制御部は、前記故障部位毎波及先カード一覧テーブルと、前記故障部位毎警報マスク対象一覧テーブルと、前記個別部と共通部とのそれぞれに対するリセット指示及びリセット完了の有無を設定するリセット指示管理テーブルとを含む構成を有し、前記監視制御カードを介して指定部位に対するリセット指示により、前記リセット指示管理テーブルのリセット対象部位対応にリセット指示有りを設定して、指定部位のリセット処理を実行し、且つ、前記故障部位毎波及先カード一覧テーブルを検索し、リセット処理の影響の波及先に対して警報マスク指示の警報制御フレームを送出する過程と、前記リセット処理の完了により、前記リセット指示管理テーブルのリセット対象部位対応にリセット指示無しに更新設定し、且つ警報マスク解除の正常状態通知の警報制御フレームを送出する過程とを含むことを特徴とする請求項４記載の警報波及阻止制御方法。
【請求項６】
前記インタフェースカードの前記警報制御部は、前記個別部の故障発生を検出し、前記故障部位警報波及先カード一覧テーブルを参照して警報波及先のインタフェースカードに対する警報マスク指示の警報制御フレームを前記制御信号処理部から送出する過程と、前記故障発生の個別部に対するリセット指示を行い、該リセット指示に従ったリセット処理完了通知により、前記警報マスク指示を送出した前記インタフェースカードに対する警報マスク解除指示の警報制御フレームを前記制御信号処理部から送出する過程とを含むことを特徴とする請求項４記載の警報波及阻止制御方法。
【発明の詳細な説明】
【技術分野】
【０００１】
本発明は、データ伝送制御を行う複数のインタフェースカードをバックワイヤードボードによって相互間を接続した構成を有し、何れかのインタフェースカードに於ける故障発生の影響を及ぼさないように制御する手段を備えた伝送制御装置及び警報波及阻止制御方法に関する。
【背景技術】
【０００２】
データ伝送処理を行う複数のインタフェースカードを実装して、それらの相互間をバックワイヤードボードにより接続し、イーサネット（登録商標）（（Ｅｔｈｅｒｎｅｔ（登録商標））スイッチ装置を構成し、フレーム構成によりデータ伝送を行うシステムが知られている。例えば、図１０に概略構成を示すように、複数のスイッチ装置（伝送制御装置）１０１−１〜１０１−ｎの相互間をネットワーク１０２により接続し、スイッチ装置１０１−２にサーバ端末１０４を接続し、スイッチ装置１０１−３〜１０１−ｎにユーザ端末１０５を接続したシステムに於いて、スイッチ装置１０１−１〜１０１−ｎは、スイッチ装置１０１−１として示すように、複数のインタフェースカード＃１〜＃Ｎと監視制御カードとをバックワイヤードボードＢＷＢにより接続し、監視制御カードに監視制御端末１０３を接続した構成を有し、ユーザ端末１０５は相互間やサーバ端末１０４との間でフレーム構成によりデータ伝送を行う。又制御監視端末１０３は、スイッチ装置１０１−１の監視制御カードと保守ネットワーク（図示せず）を介して接続し、スイッチ装置１０１−１との間で監視制御信号の送受信を行う。又スイッチ装置１０１−１〜１０１−ｎ間及びサーバ端末１０４やユーザ端末１０５との間は、主信号として示すように、送信元アドレス及び宛先アドレスを含むフレーム構成のデータの送受信を行うものである。
【０００３】
図１１は、従来例の監視制御端末と接続したスイッチ装置の故障発生時の説明図であり、伝送制御装置としてのスイッチ装置は、図１０に於けるスイッチ装置１０１−１として示し、バックワイヤードボード（以下「ＢＷＢ」と表記する）１１１と、複数のインタフェースカード１１２−１〜１１２−Ｎと、監視制御カード１１３とを含む構成を備え、監視制御カード１１３に保守ネットワークを介して監視制御端末１０３を接続する。又スイッチ装置１０１−１の各インタフェースカード１１２−１〜１１２−Ｎは殆ど同一の構成を有するもので、警報発生通知に関連する動作説明に必要な部分のみを図示している。
【０００４】
監視制御カード１１３は、保守ポート部１１３ａと監視制御部１１３ｂとを含む構成を有する。又インタフェースカード１１２−Ｋに於ける１２１Ｋは警報制御部、１２３Ｋは共通部（ＳＷ部）、１２４ＫはＢＷＢ側主信号の個別部、１２５Ｋはユーザ側主信号の個別部を示し、ＲＸは受信部、ＴＸは送信部、ＩＮは個別部からの主信号を送信先に対応したＢＷＢ側の個別部へ転送する入力部、ＯＵＴはＢＷＢ側の個別部からの主信号を送信先に対応したユーザ側の個別部へ転送する出力部を示す。なお、インタフェースカード１１２−１〜１１２−Ｎを実装することにより、相互間は、ＢＷＢ１１１により予め設定された接続状態となるように構成されている。
【０００５】
例えば、インタフェースカード１１２−Ｋの個別部１２４Ｋに故障が発生した場合、警報制御部１２１Ｋに警報通知信号を送出する。警報制御部１２１Ｋは、ＢＷＢ１１１による接続経路を介して監視制御カード１１３の監視制御部１１３ｂに警報通知信号を送信する。又故障発生の個別部１２４ＫとＢＷＢ１１１を介して接続されたインタフェースカード１１２−１の個別部１２４１は、受信断による故障発生とし、警報制御部１２１１は、ＢＷＢ１１１による接続経路を介して監視制御カード１１３の監視制御部１１３ｂに警報発生通知を行う。即ち、インタフェースカード１１２−Ｋの個別部１２４Ｋの故障発生がインタフェースカード１１２−１の個別部１２４１の故障発生として故障伝播の状態となる。
【０００６】
図１２は、従来例のリセット処理時の説明図であり、図１１と同一符号は同一名称部分を示す。故障発生等により、インタフェースカード１１２−Ｋの個別部１２４Ｋをリセットして再立上げする場合、この個別部１２４ＫとＢＷＢ１１１を介して接続されたインタフェースカード１１２−１の個別部１２４１は、個別部１２４Ｋのリセットにより受信断状態が発生するから、故障発生として警報制御部１２１１に通知する。それにより、前述の図１１に於ける故障発生時と同様に、リセット処理による影響が波及して、インタフェースカード１１２−１の警報制御部１２１１から、ＢＷＢ１１１を介して監視制御カード１１３の監視制御部１１３ｂへ警報発生通知を行うことになる。実際の故障発生時と同様に、リセット処理時も、その影響がデータの転送先のインタフェースカードに波及する。
【０００７】
又複数の主信号パッケージと経路変更制御部と監視制御パッケージとを含み、経路変更制御部により主信号パッケージ間の接続構成を変更可能とした基幹伝送装置に於いて、障害が発生した主信号パッケージは、監視制御パッケージに対して障害波及を防止する為のマスク要求信号を送出し、監視制御パッケージは、経路変更制御部による主信号経路情報を基に、マスク先の主信号パッケージを判断して、その主信号パッケージにマスク制御情報を送出し、このマスク制御情報を受信した主信号パッケージは、監視制御パッケージに対する警報のマスク処理を行うことにより、障害発生による影響の波及を防止する手段が提案されている（例えば、特許文献１参照）。
【先行技術文献】
【特許文献】
【０００８】
【特許文献１】特開２００８−２３６５２７号公報
【発明の概要】
【発明が解決しようとする課題】
【０００９】
前述の図１１に示す従来例のスイッチ装置（伝送制御装置）１０１−１の何れかのインタフェースカード、例えば、１１２−Ｋに故障が発生した場合、ＢＷＢ１１１を介して接続されているデータ転送先のインタフェースカード、例えば、１１２−１は、受信断等の障害を、自インタフェースカードの障害発生として、監視制御カード１１３へ通知する障害波及が発生する。従って、監視制御カード１１３と接続した保守者が操作する監視制御端末１０３には、最悪時に、スイッチ装置１０１−１内の全インタフェースカード１１２−１〜１１２−Ｎからの警報通知情報が伝送されることになり、保守者は故障発生個所を特定することが不可能となる。このような場合は、インタフェースカード１１２−１〜１１２−Ｎを総てチェックするか、総て交換することにより回復処理を行うことになるから、保守作業が容易ではなく、且つ迅速な対応が困難となる問題がある。又故障発生インタフェースカードをリセットして再立上げ処理を行う場合も、リセット処理時に、データ転送先のインタフェースカードは一時的に受信断状態となるから、故障発生時と同様に障害波及の問題が発生する。
【００１０】
又従来例の例えば前述の特許文献１に示された障害発生による影響の波及を防止する手段は、監視制御パッケージにより、複数の主信号パッケージ間の接続経路変更を行って、新たな接続経路情報に更新して保持し、障害発生主信号パッケージからのマスク要求に対して、内部で保持していた接続経路情報を参照して、相手先の主信号パッケージに警報出力のマスク制御を行わせるものであり、監視制御パッケージにより複数の主信号パッケージの障害発生時の処理を行うことから、大規模の制御構成となる問題があり、従って、前述の図１１に示すような比較的小規模構成の装置に適用するには経済的にも又装置規模的にも問題がある。
【００１１】
本発明は、前述の従来例の問題点を解決することを目的とし、伝送制御装置を構成する複数のインタフェースカード毎に設けた監視制御部によって、障害発生又はリセット処理により影響を受けるインタフェースカードに対して、警報マスク指示又は警報マスク解除指示を送出し、故障発生時に連鎖的な影響によって障害多発状態となることを比較的簡単な構成により回避する伝送制御装置及び警報波及阻止制御方法を提供するものである。
【課題を解決するための手段】
【００１２】
本発明の伝送制御装置は、監視制御カードと複数のインタフェースカードとを実装してバックワイヤードボードにより相互間を接続した伝送制御装置であって、前記インタフェースカードは、複数のユーザネットワーク側の個別部と前記バックワイヤードボード側の複数の個別部との間のデータフレームの選択転送処理を行う共通部と、インタフェースカード内の各部位単位で故障発生の有無を監視する警報制御部と、インタフェースカード間で前記バックワイヤードボードを介して警報制御フレームの送受信処理を行う制御信号処理部とを含む構成を有し、前記警報制御部は、前記個別部と共通部とに於ける故障発生により影響が波及する波及先インタフェースカードを示す故障部位毎波及先カード一覧テーブルと、故障発生による警報マスクの対象か否かと警報マスク対象の場合の警報マスク指示送信元とを示す故障部位毎警報マスク対象一覧テーブルとを備え、インタフェースカード内の故障発生による警報通知信号を基に故障発生による影響波及先インタフェースカードの警報制御部に前記制御信号処理部を介して警報マスク指示の警報制御フレームを送出する制御手段を備えている。
【００１３】
又前記警報制御部は、故障部位毎波及先カード一覧テーブルと、故障部位毎警報マスク対象一覧テーブルと、個別部と共通部とのそれぞれに対するリセット指示及びリセット完了の有無を設定するリセット指示管理テーブルとを備え、前記監視制御カードを介した警報制御フレームによるリセット指示により前記リセット指示管理テーブルのリセット対象部位対応にリセット指示有りを設定し、前記リセット対象部位からのリセット完了通知によりリセット指示無しに更新設定する制御手段と、前記リセット指示部位による影響波及先を、前記故障部位毎波及先カード一覧テーブルを参照して判定し、影響波及先に対する警報マスク指示の警報制御フレームを送出する制御手段とを備えている。
【００１４】
又前記警報制御部は、個別部の故障発生を検出し、故障部位警報波及先カード一覧テーブルを参照して警報波及先のインタフェースカードに対する警報マスク指示の警報制御フレームを前記制御信号処理部から送出する制御手段と、前記故障発生の個別部に対するリセット指示を行い、該リセット指示に従ったリセット処理完了通知により、前記警報マスク指示を送出した前記インタフェースカードに対する警報マスク解除指示の警報制御フレームを前記制御信号処理部から送出する制御手段を備えている。
【００１５】
本発明の警報波及阻止制御方法は、監視制御カードと複数のインタフェースカードとを実装してバックワイヤードボードにより相互間を接続し、前記インタフェースカード内の故障発生による影響波及を阻止する警報波及阻止制御方法であって、前記インタフェースカードは、複数のユーザネットワーク側の個別部と前記バックワイヤードボード側の複数の個別部との間のデータフレームの選択転送処理を行う共通部と、故障部位毎警報波及先カード一覧テーブルと故障部位毎警報マスク対象一覧テーブルとを有する警報制御部と、警報制御フレームの送受信を行う制御信号処理部とを含む構成を有し、前記警報制御部は、インタフェースカード内の故障発生による警報通知信号を基に前記故障部位毎警報波及先カード一覧テーブルを検索し、故障発生による影響波及先インタフェースカードに、前記制御信号処理部から警報マスク指示の警報制御フレームを送出する制御過程と、前記故障発生部位の回復を前記警報制御部が検出した時、前記警報マスク指示の警報制御フレームを送出したインタフェースカードに対して、正常状態通知の警報制御フレームを送出する制御過程とを含むものである。
【００１６】
又前記インタフェースカードの前記警報制御部は、前記故障部位毎波及先カード一覧テーブルと、前記故障部位毎警報マスク対象一覧テーブルと、前記個別部と共通部とのそれぞれに対するリセット指示及びリセット完了の有無を設定するリセット指示管理テーブルとを含む構成を有し、前記監視制御カードを介して指定部位に対するリセット指示により、前記リセット指示管理テーブルのリセット対象部位対応にリセット指示有りを設定して、指定部位のリセット処理を実行し、且つ、前記故障部位毎波及先カード一覧テーブルを検索し、リセット処理の影響の波及先に対して警報マスク指示の警報制御フレームを送出する過程と、前記リセット処理の完了により、前記リセット指示管理テーブルのリセット対象部位対応にリセット指示無しに更新設定し、且つ警報マスク解除の正常状態通知の警報制御フレームを送出する過程とを含むものである。
【００１７】
又前記インタフェースカードの前記警報制御部は、前記個別部の故障発生を検出し、前記故障部位警報波及先カード一覧テーブルを参照して警報波及先のインタフェースカードに対する警報マスク指示の警報制御フレームを前記制御信号処理部から送出する過程と、前記故障発生の個別部に対するリセット指示を行い、該リセット指示に従ったリセット処理完了通知により、前記警報マスク指示を送出した前記インタフェースカードに対する警報マスク解除指示の警報制御フレームを前記制御信号処理部から送出する過程とを含むものである。
【発明の効果】
【００１８】
データ伝送処理を行う複数のインタフェースカードを実装して、ＢＷＢにより予め設定された接続構成により伝送制御装置（スイッチ装置）を構成し、それぞれのインタフェースカードには、故障部位毎警報波及先カード一覧テーブルと、故障部位毎警報マスク対象一覧テーブルとを設け、各インタフェースカード内で発生した故障による影響の波及先を判定して、その波及先へ警報マスク指示を行うことにより、故障伝播による警報通知の多発を回避することが可能となり、又各部位のリセット処理を実行する場合も、リセット処理中のフレーム転送処理の中止による影響波及先に対して警報マスク指示の警報制御フレームを送出し、そのリセット処理の完了時は、正常状態を通知の警報マスク解除の警報制御フレームを送出して、正常状態に復帰することができる。
【図面の簡単な説明】
【００１９】
【図１】本発明の実施例１の説明図である。
【図２】本発明の実施例１のテーブルの説明図である。
【図３】本発明の実施例１の警報制御フレームの説明図である。
【図４】本発明の実施例１のシーケンスチャートである。
【図５】本発明の実施例２の説明図である。
【図６】本発明の実施例２のリセット指示管理テーブルの説明図である。
【図７】本発明の実施例２のシーケンスチャートである。
【図８】本発明の実施例３の説明図である。
【図９】本発明の実施例３のシーケンスチャートである。
【図１０】伝送システムの説明図である。
【図１１】従来例のスイッチ装置の故障発生時の説明図である。
【図１２】従来例のスイッチ装置のリセット処理時の説明図である。
【発明を実施するための形態】
【００２０】
本発明の伝送制御装置は、図１を参照して説明すると、監視制御カード１３と複数のインタフェースカード１２−１〜１２−Ｋとを実装してバックワイヤードボード（ＢＷＢ）１１により相互間を接続した伝送制御装置であって、前記インタフェースカード１２−１〜１２−Ｎは、複数のユーザネットワーク側の個別部とバックワイヤードボード１１側の複数の個別部との間のデータフレームの選択転送処理を行う共通部と、インタフェースカード内の各部位単位で故障発生の有無を監視する警報制御部２１１〜２１Ｎと、インタフェースカード間で前記バックワイヤードボード１１を介して警報制御フレームの送受信処理を行う制御信号処理部２２１〜２２Ｎとを含む構成を有し、警報制御部２１１〜２１Ｎは、個別部と共通部とに於ける故障発生により影響が波及する波及先インタフェースカードを示す故障部位毎波及先カード一覧テーブル（２６Ｋ）と、故障発生による警報マスクの対象か否かと警報マスク対象の場合の警報マスク指示送信元とを示す故障部位毎警報マスク対象一覧テーブル（２７Ｋ）とを備え、インタフェースカード内の故障発生による警報通知信号を基に故障発生による影響波及先インタフェースカードの警報制御部に、前記制御信号処理部を介して警報マスク指示の警報制御フレームを送出する制御手段を備えている。
【００２１】
本発明の警報波及阻止制御方法は、監視制御カード１３と複数のインタフェースカード１２−１〜１２−Ｎとを実装してバックワイヤードボード（ＢＷＢ）１１により相互間を接続し、インタフェースカード内の故障発生による影響波及を阻止する警報波及阻止制御方法であって、インタフェースカード１２−１〜１２−Ｎは、複数のユーザネットワーク側の個別部とバックワイヤードボード側の複数の個別部との間のデータフレームの選択転送処理を行う共通部と、故障部位毎警報波及先カード一覧テーブル（２６Ｋ）と故障部位毎警報マスク対象一覧テーブル（２７Ｋ）とを有する警報制御部２１１〜２１Ｎと、警報制御フレームの送受信を行う制御信号処理部２２１〜２２Ｎとを含む構成を有し、警報制御部は、インタフェースカード内の故障発生による警報通知信号を基に前記故障部位毎警報波及先カード一覧テーブルを検索し、故障発生による影響波及先インタフェースカードに、前記制御信号処理部から警報マスク指示の警報制御フレームを送出する制御過程と、前記故障発生部位の回復を前記警報制御部が検出した時、前記警報マスク指示の警報制御フレームを送出したインタフェースカードに対して、正常状態通知の警報制御フレームを送出する制御過程とを含むものである。
【実施例１】
【００２２】
図１は、本発明の実施例１の説明図であり、１は伝送制御装置としてのスイッチ装置、１１はＢＷＢ（バックワイヤードボード）、１２−１〜１２−Ｎはインタフェースカード、１３は監視制御カードを示す。又インタフェースカード１２−１〜１２−Ｎは、殆ど同一の構成を有するものであり、実装することにより、ＢＷＢ１１により予め設定された接続構成で相互間が接続される。又インタフェースカード１２−Ｋに於いて、２１Ｋは警報制御部、２２Ｋは制御信号処理部、２３Ｋは共通部（ＳＷ部）、２４ＫはＢＷＢ側の個別部、２５Ｋはユーザ側の個別部、２６Ｋは故障部位毎警報波及先カード一覧テーブル、２７Ｋは故障部位毎警報マスク対象一覧テーブルを示す。又ＴＸは送信部、ＲＸは受信部を示し、共通部（ＳＷ部）のＩＮは、ユーザ側からのフレームをその宛先に対応したＢＷＢ１１側の個別部へスイッチング転送する入力部、ＯＵＴは、ＢＷＢ側からのフレームを、その宛先に対応したユーザ側の個別部へスイッチング転送する出力部を示す。なお、インタフェースカード１２−Ｋの各部の符号の末尾にＫを付加して示しているが、他のインタフェースカード１２−１〜１２−Ｎに於ける各部の符号の末尾として付加するもので、例えば、インタフェースカード１２−１は、警報制御部２１１と制御信号処理部２２１と個別部２４１とを図示し、インタフェースカード１２−Ｎは、警報制御部２１Ｎと制御信号処理部２２Ｎと個別部２４Ｎとを図示している。
【００２３】
又インタフェースカード１２−１〜１２−Ｎの警報制御部２１１〜２１Ｎは、警報制御部２１Ｋの故障部位毎警報波及先カード一覧テーブル２６Ｋと故障部位毎警報マスク対象一覧テーブル２７Ｋと同様なテーブルを備えているもので、それぞれＢＷＢ１１を介した対向接続構成に従った内容を予め格納している。図２の（Ａ）は、前述の故障部位毎警報波及先カード一覧テーブルの一例を示し、故障部位と波及先カードとの対応を示す。例えば、ＢＷＢ側主信号個別部位＃１ＴＸ〜ＢＷＢ側主信号個別部位＃８ＴＸ及びＢＷＢ側主信号個別部位＃１ＲＸ〜ＢＷＢ側主信号個別部位＃８ＲＸは、個別部２４１〜２４Ｎについて、Ｎ＝８とした個別部２４１〜２４８に相当する送信部ＴＸ及び受信部ＲＸを示し、共通部ＩＮ及び共通部ＯＵＴは、例えば、共通部（ＳＷ部）２３Ｋの入力部ＩＮ及び出力部ＯＵＴを示し、警報マスク判定の対象の場合のそれぞれ対応するインタフェースカード＃１〜＃８は、インタフェースカード１２−１〜１２−８を示すものとなる。
【００２４】
又図２の（Ｂ）は、前述の故障部位毎警報マスク対象一覧テーブルの一例を示し、故障部位は、図２の（Ａ）の場合と同様であり、警報マスク判定として、対象か対象外かを示し、警報マスク対象の場合は、警報マスク指示送信元のインタフェースカード＃１〜＃８を示す。即ち、警報マスク指示の警報制御フレームを受信した場合、この故障部位毎警報マスク対象一覧テーブルを参照して、警報マスク指示の警報制御フレームの送信元インタフェースカードからの警報マスク指示であるか否かを判定し、設定されている警報マスク指示送信元からの警報マスク指示の場合に、警報制御部は故障警報波及先が自インタフェースカードと判定し、警報マスク制御を行う。この故障部位毎警報マスク対象一覧テーブル及び前述の故障部位毎警報波及先カード一覧テーブルは、インタフェースカード１２−１〜１２−Ｋ毎に相違することになる。又各インタフェースカード１２−１〜１２−Ｎの制御信号処理部２２１〜２２Ｎは、ＢＷＢ１１を介して相互間では、正常状態の場合、所定の周期（例えば、０．５ｓｅｃ）で正常状態通知の警報制御フレームの送受信を行い、又警報マスク指示の警報制御フレームも所定の周期で送受信を行う。従って、何れの警報制御フレームも所定の周期又は２〜３周期程度の期間内に受信できない場合は、送信元のインタフェースカードの抜き取りによるものと推定し、受信断による故障発生と誤認識しないように、警報マスク処理を行う。
【００２５】
図３は、本発明の実施例１の警報制御フレームの説明図であり、（Ａ）は、正常状態通知の警報制御フレームを示し、（Ｂ）は、警報マスク指示の警報制御フレームを示す。この警報制御フレームは、６バイトの宛先アドレスＭＡＣ−ＤＡと、６バイトの送信元アドレスＭＡＣ−ＳＡと、２バイトのフレームタイプＴｙｐｅと、１バイトの通知種別と、１バイトの宛先カード番号と、１バイトの送信元カード番号と、４８バイトの付加バイトのＰａｄｄｉｎｇ（空バイト）とした場合を示す。又通知種別は、例えば、正常状態通知の場合、０ｘ００としてのみ示しているが、警報マスク指示の場合は、例えば、０ｘ０１とする。又宛先カード番号０ｘＹＹ及び送信元カード番号０ｘＺＺは、インタフェースカード１２−１〜１２−Ｎのそれぞれの番号、例えば、インタフェースカード＃１〜＃８に対しては、例示しているように、０ｘ１〜０ｘ８とする。又宛先アドレスＭＡＣ−ＤＡや送信元アドレスＭＡＣ−ＳＡは、それぞれ６バイト構成の一例を示している。正状態通知を含む警報制御フレームは、前述のように、所定の１周期を、例えば、０．５ｓｅｃとし、正常状態通知の警報制御フレームを複数周期、例えば、２周期程度の周期内で受信できない場合、その送信元のインタフェースカードに故障発生と判定することができる。
【００２６】
図４は、本発明の実施例１のシーケンス説明図であり、インタフェースカード（＃Ａ），（＃Ｂ）の警報制御部と制御信号処理部と個別部との相互間の処理シーケンスについて示し、以下図１を参照して説明する。保守者と、監視制御カード１３とはこの場合の制御処理には関係しない場合であり、インタフェースカード（＃Ａ）をインタフェースカード１２−Ｋ、インタフェースカード（＃Ｂ）をインタフェースカード１２−１とした場合について説明する。インタフェースカード１２−Ｋの個別部２４Ｋに故障発生した場合、警報制御部２１Ｋへ警報通知信号を送出する。それにより、警報制御部２１Ｋが、個別部２４Ｋの故障発生を認識すると、故障部位毎警報波及先カード一覧テーブル２６Ｋを参照して、個別部２４Ｋの故障発生による警報波及の有無を判定し、有りの場合は、警報波及先カードが何れであるかを調べ、例えば、インタフェースカード１２−１であると、警報制御部２１Ｋから制御信号処理部２２Ｋを介して警報波及カード１２−１の制御信号処理部２２１へ警報制御フレーム（マスク指示）を送信する。
【００２７】
このマスク指示の警報制御フレームを受信した制御信号処理部２２１は警報制御部２１１へ転送する。警報制御部２１１は、警報制御部２１Ｋの警報部位毎警報波及先カード一覧テーブル（２６Ｋ）と故障部位毎警報マスク対象一覧テーブル（２７Ｋ）と同様のテーブルを備えているものではあるが、それぞれのテーブルの設定内容は、インタフェースカード１２−１の個別部や共通部の構成に従って設定されている。警報制御部２１１は、図２の（Ｂ）に示す故障部位毎警報マスク対象一覧テーブルと同様な故障部位毎警報マスク対象一覧テーブルを参照して、警報マスク判定が対象を示し、且つ警報マスク指示送信元がインタフェースカード１２−Ｋとして設定されている場合は、警報制御部２１１は、波及警報マスクの制御状態となる。従って、インタフェースカード１２−Ｋの個別部２４Ｋの故障発生による影響を受けるインタフェースカード１２−１の個別部２４１が受信断状態の故障発生を警報制御部に通知しても、波及警報マスクの制御状態に遷移する。
【００２８】
又故障発生の個別部２４Ｋの故障回復を警報制御部２１Ｋに通知することにより、警報制御部２１Ｋは制御信号処理部２２Ｋへ警報波及先カード１２−１に対する警報マスク解除指示を行う。制御信号処理部２２Ｋは、インタフェースカード１２−１の制御信号処理部２２１へ警報制御フレーム（正常状態通知）を送信する。それにより、インタフェースカード１２−１の制御信号処理部２２１は、警報制御部２１１へ警報マスク解除通知を行う。この警報マスク解除により、最初の正常状態に復帰する。従って、スイッチ装置内のインタフェースカード間で、警報マスク指示及び警報マスク解除の制御処理を行うことができる。
【実施例２】
【００２９】
図５は、本発明の実施例２の説明図であり、図１と同一符号は同一部分を示し、３は監視制御端末、２８Ｋはリセット指示管理テーブルを示す。インタフェースカード１２−１〜１２−Ｎの各警報制御部２１１〜２１Ｎに、警報制御部２１Ｋとして示すように、故障部位毎警報波及先カード一覧テーブル２６Ｋと、故障部位毎警報マスクテーブル２７Ｋと共に、リセット指示管理テーブル２８Ｋを設ける。このリセット指示管理テーブルは、例えば、図６に示すように、リセット対象部位とリセット指示値とを示すもので、ＢＷＢ側主信号個別部位＃１〜＃８は、例えば、インタフェースカード１２−Ｋに於いては、個別部２４Ｋに相当し、ユーザ側主信号個別部位＃１〜＃８は、個別部２５Ｋに相当する。又共通部は、共通部（ＳＷ部）２３Ｋに相当する。又リセット指示値は、“０”をリセット指示無し、“１”をリセット指示有りとした場合を示す。
【００３０】
図７は、本発明の実施例２のシーケンス説明図であり、監視制御端末を操作する保守者と、監視制御カードと、インタフェースカード（＃Ａ），（＃Ｂ）とについて示し、以下図５及び図６を参照して説明する。なお、監視制御カードと、インタフェースカード（＃Ａ），（＃Ｂ）を、図５に於ける監視制御カード１３と、インタフェースカード１２−Ｋ，１２−１として説明する。保守者は監視制御端末３を操作して各種の制御操作を行うものであり、保守者がリセット対象のインタフェースカード、例えば、インタフェースカード１２−Ｋの個別部２４Ｋを指定して、初期状態に復帰させるリセット指示操作を行うと、監視制御端末３から監視制御カード１３の保守ポート部１３ａに対して、リセット対象インタフェースカード１２−Ｋを指定したリセット指示の制御情報を送出する。これを受信した保守ポート部１３ａから監視制御部１３ｂへリセット指示の制御情報を転送し、このリセット指示の制御情報を監視制御部１３ｂからＢＷＢ１１を介してインタフェースカード１２−Ｋ（＃Ａ）の警報制御部２１Ｋへ転送する。
【００３１】
警報制御部２１Ｋは、故障部位毎警報波及先カード一覧テーブル２６Ｋを参照して、リセット処理による再立上げに要する時間、定期的な警報制御フレームの送受信が中止されて、故障発生と同様な状態となるから、故障部位毎警報波及先カード一覧テーブル２６Ｋを参照して、リセット指示の例えばＢＷＢ側主信号個別部位＃１〜＃８ＴＸと波及先インタフェースカード＃１〜＃８とに該当する波及先カードの有無を検索する。この場合、波及先インタフェースカードが１２−１であるとすると、警報制御部２１Ｋは、制御信号処理部２２Ｋに対して警報波及先カードへの警報マスク指示を行う。それにより、制御信号処理部２２Ｋは、ＢＷＢ１１を介してインタフェースカード１２−１の制御信号処理部２２１に対して警報制御フレーム（マスク指示）を送出する。制御信号処理部２２１は、警報制御部２２１へ警報マスク通知を行う。
【００３２】
又インタフェースカード１２−Ｋの個別部２４Ｋは、警報制御部２１Ｋからのリセット指示に従って、再立上げ処理を行い、その処理完了により、警報制御部２１Ｋに対してリセット処理完了通知を送出する。警報制御部２１Ｋは、警報波及先カードのインタフェースカード１２−１に対する警報マスク解除指示を制御信号処理部２２Ｋへ送出する。それにより、制御信号処理部２２Ｋは、警報波及先のインタフェースカード１２−１へ警報制御フレーム（正常状態通知）を送信する。これを受信したインタフェースカード１２−１の制御信号処理部２２１は、警報制御部２１１に対して警報マスク解除通知を行う。又インタフェースカード１２−Ｋの警報制御部２１Ｋは、警報波及先カードへの警報マスク解除指示を行った後、監視制御カード１３の監視制御部１３ｂへリセット完了通知を送信し、監視制御部１３ｂから保守ポート部１３ａへリセット完了通知を転送し、この保守ポート部１３ａから監視制御端末３へリセット完了通知を転送して、保守者の操作制御によるリセット完了を通知する。
【実施例３】
【００３３】
図８は、本発明の実施例３の説明図であり、図１及び図５と同一符号は同一部分を示し、各インタフェースカード１２−１〜１２−Ｎの警報制御部２１１〜２１Ｎは、警報制御部２１Ｋ内に示す故障部位毎警報波及先カード一覧テーブル２６Ｋと、故障部位毎警報マスク対象一覧テーブル２７Ｋと、リセット指示管理テーブル２８Ｋとを含む構成を有するものであり、カード内各部の故障発生による警報通知信号の収集や、リセット指示及びリセット完了通知等の送受信処理を行う。又インタフェースカード１２−１〜１２−Ｎの制御信号処理部２２１〜２２Ｎ間で、ＢＷＢ１１を介して、図３の（Ａ）について説明した警報制御フレームを、前述のように、一定周期（例えば、０．５ｓｅｃ）で送信する。この警報制御フレームを一定周期で受信している場合、又はノイズ等の影響等を考慮して、予め設定した２周期等の所定周期内で受信している場合は正常と判断する。
【００３４】
図９は、本発明の実施例３のシーケンス説明図であり、保守者、監視制御カード、インタフェースカード（＃Ａ），（＃Ｂ）は、図４及び図７に示す場合と同一の部分を示し、インタフェースカード（＃Ａ）を、図８に於けるインタフェースカード１２−Ｋとし、インタフェースカード（＃Ｂ）を、図８に於けるインタフェースカード１２−１とした場合について説明する。監視制御部２１１〜２１Ｎは、それぞれの個別部２４１〜２４Ｎを監視し、インタフェースカード１２−Ｋの監視制御部２１Ｋが個別部２４Ｋの故障発生を検出すると、故障部位毎警報波及先カード一覧テーブル２６Ｋを参照して、警報波及先カードがインタフェースカード１２−１の場合、制御信号処理部２２ＫからＢＷＢ１１を介してインタフェースカードの制御信号処理部２２１へ所定周期の警報制御フレームによる警報マスク指示を送信する。制御信号処理部２２１は、警報制御部２１１に警報マスク指示を転送する。それにより、個別部２４１がインタフェースカード１２−Ｋの個別部２４Ｋからの受信断による故障伝搬の状態により、この個別部２４１から警報制御部２１１への警報通知信号に対して、警報制御部２１１は波及警報としてマスクする。
【００３５】
その後、故障発生の個別部２４Ｋに対して再立上げの為のリセット指示を行い、そのリセット処理を実行するリセット期間が経過して、個別部２４Ｋから警報制御部２１Ｋに対してリセット処理完了通知を送出すると、警報制御部２１Ｋは、個別部２４Ｋに対して実際に故障回復か否かを確認し、正常復帰の場合は、警報波及先カードのインタフェースカード１２−１に対する警報マスク解除指示を、制御信号処理部２２Ｋを介してインタフェースカード１２−１の制御信号処理部２２１へ送出する。制御信号処理部２２１は、警報制御部２１１に対して警報マスク解除通知を送出する。それにより、元の正常状態に復帰することができる。この場合、警報制御部２１１は、警報マスク通知から警報マスク解除通知までの間、波及警報マスクの制御状態を継続することになる。
【符号の説明】
【００３６】
１  スイッチ装置
１１  ＢＷＢ
１２−１〜１２−Ｎ  インタフェースカード
２１１〜２１Ｎ  警報制御部
２２１〜２２Ｎ  制御信号処理部
２３Ｋ  共通部（ＳＷ部）
２４１〜２４Ｎ  個別部
２５Ｋ  個別部
２６Ｋ  故障部位毎警報波及先カード一覧テーブル
２７Ｋ  故障部位毎警報マスク対象一覧テーブル
２８Ｋ  リセット指示管理テーブル
【図１】
2011091728.tif 000003
【図２】
2011091728.tif 000004
【図３】
2011091728.tif 000005
【図４】
2011091728.tif 000006
【図５】
2011091728.tif 000007
【図６】
2011091728.tif 000008
【図７】
2011091728.tif 000009
【図８】
2011091728.tif 000010
【図９】
2011091728.tif 000011
【図１０】
2011091728.tif 000012
【図１１】
2011091728.tif 000013
【図１２】
2011091728.tif 000014